(57)【要約】【課題】本発明の課題は、電力開閉装置の送電側への送電が停止して、入力電圧が低下した場合に、電力開閉装置の回路接続スイッチを遮断して、入力側の入力電圧が所望の値になり、かつ、故意に接続投入して初めて電力開閉装置の回路接続スイッチが接続される電力開閉装置とこれを用いた電気機器を提供することである。【解決手段】送電側配線と負荷側配線の間の接続スイッチと、送電側（入力側）配線の電源電圧を検出して、電源電圧が低下又は無い場合は、接続スイッチを遮断する制御手段とを備え、電源が回復しても、故意に接続をしなければ、遮断状態を継続する手段を有する。【選択図】図１
2017091935.tif 000002
【特許請求の範囲】
【請求項１】
送電側配線と負荷側配線の間に接続され、両配線の間を断続可能な第一の接続スイッチと、前記送電側配線の交流電圧を検出して、所望の電圧より小さい場合は、送電が無いと判断して第一の接続スイッチを遮断する制御手段と、を備え、前記電圧が所望の値に復帰しても、意図的に第一の接続スイッチを接続しなければ、第一の接続スイッチの遮断状態を継続することを特徴とする電力開閉装置。
【請求項２】
前記交流電圧が所望の電圧より小さい場合は、
第一の接続スイッチ自体が遮断状態であるか、又は、第一の接続スイッチを電磁力で駆動するためのものであって、前記制御手段が有するリレーコイルの励磁電流が小さいことで第一の接続スイッチが遮断状態であるか、を特徴とする請求項１記載の電力開閉装置。
【請求項３】
第一の接続スイッチと前記負荷側配線の間に、第二の接続スイッチを介在させ、前記負荷側配線を流れる電流を検出する回路電流・漏れ電流検出手段を備え、前記回路電流・漏れ電流検出手段により、第二の接続スイッチを遮断することを特徴とする請求項１または請求項２記載の電力開閉装置。
【請求項４】
第一の接続スイッチと第二の接続スイッチを共通の１つの接続スイッチとし、前記制御手段と前記回路電流・漏れ電流検出手段で駆動することを特徴とする請求項３記載の電力開閉装置。
【請求項５】
前記送電側配線側に接続された請求項１から請求項４のいずれか１つに記載の電力開閉装置と、前記負荷側配線に接続された電気的機能を行う電気機器機能本体を有することを特徴とする電気機器。
【発明の詳細な説明】
【技術分野】
【０００１】
本発明は、電源が、送電側（入力側）において一旦切れた場合に、回路を遮断して、入力側に電源が復帰した状態でも故意に接続の投入しない限り回路が接続しない電力開閉装置及びこれを用いた電気機器に関するものである。
【背景技術】
【０００２】
従来、電力開閉装置として、回路用遮断器（ブレーカ）、漏電ブレーカ、開閉器、断路器、接触器、スイッチなどがある。
例えば、遮断器では、遮断器の負荷側（出力側）で既定以上の電流が流れた場合、又は、既定以上の漏電が有った場合に、これを検知して遮断器が自動的に遮断し、その後は、故意に接続投入しない限りは、遮断したままになっている。図１０には、多く知られた遮断器の例を示し、負荷側の電流を検出して、既定以上の電流が流れたか、既定以上の漏電が有ったかを検出して、回路接続スイッチを切断している。特許文献１や、市販の遮断器に多く見ることができるので、詳述は省略する。
ところが、従来の電力開閉装置、特に遮断器においても、送電側が送電を止めて、遮断器に入力側の電圧が下がった場合には、何ら、回路接続スイッチを切断することはない。このため、以下のような、不都合があった。例えば、回路接続スイッチが接続した状態で、送電側の都合、例えば、地震によるリスク回避のための送電停止、又は、送電線の補修や維持のための送電停止などでは、回路接続スイッチが接続したままになってしまう。或いは、長い間、送電が行われないために回路接続スイッチが接続した状態で安全が確保していた状態であったという場合がある。
このような状況では、遮断器の負荷側でつながった装置の不具合や配線の短絡などが発生していることがあると、送電が再開した場合に、回路接続スイッチが接続しているため、火災などの事故になってしまう。また、同様に、電熱器等の装置の主スイッチにおいても、同様に、送電停止後に主スイッチが接続し続けていて問題になることが起こっている。
【先行技術文献】
【特許文献】
【０００３】
【特許文献１】特開２０１０−６１９２９
【発明の概要】
【発明が解決しようとする課題】
【０００４】
以上のような従来例の欠点を補い、本発明の課題は、一旦、電力開閉装置の送電側への送電が停止して、入力電圧が低下した場合に、電力開閉装置の回路接続スイッチを遮断して、入力側の入力電圧が所望の値になり、かつ、故意に接続投入して初めて電力開閉装置の回路接続スイッチが接続される電力開閉装置とこれを用いた電気機器を提供することである。
【課題を解決するための手段】
【０００５】
本発明にかかる電力開閉装置は、送電側配線と負荷側配線の間に両配線の間を断続可能な第一の接続スイッチと、送電側配線の交流電圧を検出して、所望の電圧より小さい場合は、送電が無いと判断して第一の接続スイッチを遮断する制御手段とを備えている。
以下、請求項に沿って記述する。
【０００６】
請求項１記載の発明は、電力開閉装置であって、
送電側配線と負荷側配線の間に接続され、両配線の間を断続可能な第一の接続スイッチと、前記送電側配線の交流電圧を検出して、所望の電圧より小さい場合は、送電が無いと判断して第一の接続スイッチを遮断する制御手段と、を備え、前記電圧が所望の値に復帰しても、意図的に第一の接続スイッチを接続しなければ、第一の接続スイッチの遮断状態を継続することを特徴とする。
【０００７】
請求項２記載の発明は、請求項１記載の電力開閉装置において、
前記交流電圧が所望の電圧より小さい場合は、
第一の接続スイッチ自体が遮断状態であるか、又は、第一の接続スイッチを電磁力で駆動するためのものであって、前記制御手段が有するリレーコイルの励磁電流が小さいことで第一の接続スイッチが遮断状態であるか、を特徴とする。
【０００８】
請求項３記載の発明は、請求項１または請求項２記載の電力開閉装置において、
第一の接続スイッチと前記負荷側配線の間に、第二の接続スイッチを介在させ、前記負荷側配線を流れる電流を検出する回路電流・漏れ電流検出手段を備え、前記回路電流・漏れ電流検出手段により、第二の接続スイッチを遮断することを特徴とする。
【０００９】
請求項４記載の発明は、請求項３記載の電力開閉装置において、
第一の接続スイッチと第二の接続スイッチを共通の１つの接続スイッチとし、前記制御手段と前記回路電流・漏れ電流検出手段で駆動することを特徴とする。
【００１０】
請求項５記載の発明は、電気機器であって、
前記送電側配線側に接続された請求項１から請求項４のいずれか１つに記載の電力開閉装置と、前記負荷側配線に接続された電気的機能を行う電気機器機能本体を有することを特徴とする。
【発明の効果】
【００１１】
以上の様に構成されているので、本発明による電力開閉装置では、電力開閉装置の送電側への送電が停止して、入力電圧が低下した場合には、回路接続スイッチを遮断し、電源が復帰しても、回路接続スイッチを遮断したままであり、不都合に至らない。そのような状況で、先ず、負荷側の安全を確認する作業を行うことができる。安全を確認したあと、故意に接続の投入することで使用状態にすることができる。このように、地震などで、送電が停止され、復帰しても、そのことで、火災など不都合が起こることがない。安全確保の作業ができる余裕があるわけである。
【図面の簡単な説明】
【００１２】
【図１】本発明の電力開閉装置の一実施態様を示す図である。
【図２】本発明の電力開閉装置の他の一実施態様を示す図である。
【図３】本発明の電力開閉装置の他の一実施態様と電気機器の一実施態様を示す図である。
【図４】本発明の電力開閉装置の制御手段の一実施態様を示す図である。
【図５】本発明の電力開閉装置の制御手段の他の一実施態様を示す図である。
【図６】本発明の電力開閉装置の制御手段の他の一実施態様を示す図である。
【図７】本発明の電力開閉装置の制御手段の他の一実施態様を示す図である。
【図８】本発明の電力開閉装置の制御手段の他の一実施態様を示す図である。
【図９】本発明の電力開閉装置の電源電圧検出駆動手段の一実施態様を示す図である。
【図１０】従来の遮断器の実施態様を示す図である。
【発明を実施するための形態】
【００１３】
本発明にかかる電力開閉装置は、送電側配線と負荷側配線の間に両配線の間を断続可能な第一の接続スイッチと、送電側配線の交流電圧を検出して、所望の電圧より小さい場合は、送電が無いと判断して第一の接続スイッチを遮断する制御手段とを備えている。
以下図に沿って説明する。
【００１４】
図１は、本発明の電力開閉装置の一実施態様を示す図である。
本発明の電力開閉装置は、図１のように、回路Ａと回路Ｂを備えている。ここでは、遮断器を例に示すが、これにこだわらない。
枠Ｂに囲まれた回路Ｂの部分は、図１０で示した従来の遮断器部分であり、枠Ａで囲まれた回路Ａが、従来の遮断器部分の送電側（入力側）に備えられている。回路Ａは、送電側と回路Ｂの入力端との間に接続した接続スイッチ１１０Ａと、接続スイッチ１１０Ａの接続／遮断を制御する制御手段１２０Ａとを有し、制御手段１２０Ａは、送電側配線１３０Ａの交流電圧の有無を検出して、所望の電圧より小さい場合は、送電が無いと判断して接続スイッチ１１０Ａを遮断し、電源が復帰しても、意図的に接続スイッチ１１０Ａを接続しなければ、接続スイッチ１１０Ａの遮断を継続するものである。
尚、回路Ｂは、従来の遮断器部になっており、接続スイッチ１１０Ｂとこれを遮断・接続をするための回路電流・漏れ電流検出手段１２０Ｂを備えていて、回路電流・漏れ電流検出手段１２０Ｂは、負荷側配線１３０Ｂの電流を検出している。電流の検出は、従来の遮断器で行われているように、短絡電流では、配線を囲んだコイルを、漏れ電流では、一般にゼロ相変流器が使用されている。回路電流・漏れ電流検出手段１２０Ｂは、配線の電流を検出し増幅する増幅器と、検出結果が所望の値以上ならば、接続スイッチ１１０Ｂを遮断するように駆動されるリレーコイルを備えている。接続スイッチ１１０Ｂは、一旦遮断されると故意に接続投入しなければ接続しないことはよく知られた通りである。
【００１５】
図２は、本発明の電力開閉装置の他の一実施態様を示す図である。図１と同様に遮断器の例で示すがこれにこだわらない。
図1では、接続スイッチ１１０Ｂ、１１０Ａが、回路Ｂと回路Ａで別々にあって、回路Ｂ側では、負荷側の電流（回路電流・漏れ電流）の検出結果により、回路Ｂ側の接続スイッチ１１０Ｂが遮断するようになっている。前述のように、回路Ａ側の接続スイッチ１１０Ａは、送電側配線１３０Ａの交流電圧の有無を受けた制御手段１２０Ａにより、接続・遮断が行われていた。
図１との違いを示すと、図２では、図１の回路Ｂ側と回路Ａ側の各接続スイッチ１１０Ｂ、１１０Ａを共通の接続スイッチ１１０として１つにまとめ、回路Ｂ側の回路電流・漏れ電流検出手段１２０Ｂ、回路Ａ側の制御手段１２０Ａのいずれでも遮断できるようにしたものである。
【００１６】
図３は、本発明の電力開閉装置の他の一実施態様と電気機器の一実施態様を示す図である。
３−Ａでは、図１、図２との違いは、接続スイッチ１１０のみ存在し、これを断続する回路電流・漏れ電流検出手段１２０Ｂが無いために、負荷側配線１３０Ｂの電流を検出していないことである。そのため、接続スイッチ１１０は、電源を接続又は遮断するスイッチになっている。但し、接続スイッチ１１０は、図１、図２と同じく、制御手段１２０Ａを備えて、これが、送電側配線１３０Ａの交流電圧の有無を検出して、所望の電圧より小さい場合は、送電が無いと判断して接続スイッチ１１０を遮断し、電源が復帰しても、意図的にスイッチ起動手段１４０によって接続スイッチ１１０を接続しなければ、接続スイッチ１１０の遮断を継続するものであることは同じである。スイッチ起動手段１４０は、手動ノブ、プッシュボタン、切替ハンドルなどの各種の形態がある。
尚、図１のように接続スイッチＡ、接続スイッチの両者があるものに適用しても同様である。
【００１７】
３−Ｂでは、３−Ａで示した電力開閉装置を電気機器機能本体１５０の電源入力に取り付けて構成した電気機器を示している。電気機器機能本体１５０は、例えば、ヒーター、エアコン、送風機、モーターなどの電気機器一般をさす。この構成では、スイッチ起動手段１４０を操作して接続スイッチ１１０を接続すれば、送電側配線１３０Ａに電源が来ていれば、電気機器機能本体１５０に電源が供給される。電源が来ていなければ、制御手段１２０Ａが接続スイッチ１１０を遮断するので、電源が供給されることはない。従って、このような状態でスイッチ起動手段１４０を操作しても電源は電気機器機能本体１５０には供給されない。
【００１８】
以下に制御手段１２０Ａについて述べる。
図４は、本発明の電力開閉装置の制御手段の一実施態様を示す図である。
制御手段１２０Ａは、図１、図２に見るように、送電側配線１３０Ａを受ける入力端子とその結果、接続スイッチ１１０又は１１０Ａを遮断駆動する制御出力を持っているが、制御出力としては、リレーコイルからの電磁力を利用できる。電磁力によって、接続スイッチ１１０又は１１０Ａの電気切片が動き、遮断を行う。半導体スイッチ等は、内部抵抗が大きく好ましくない。
【００１９】
図４は交流リレーを用いた場合である。動作を説明する。送電側配線、この例では、三線式の三相交流を図示したが、四線式、二線式でも構わない。複数の配線の二線を選び、その間に接続駆動部３１０を設ける。接続駆動部３１０は、手動スイッチＰＳ３１１と第一のリレーコイルＴ１，３１３がリセットスイッチＲＳ３１２を介して接続され、手動スイッチＰＳ３１１の両端子に並列に第一のメーク接点Ｓ１，３１４が接続されている。第一のリレーコイルＴ１，３１３の繋がる送電側配線端子Ｕには、第一のリレーコイルＴ１，３１３により駆動される第二のメーク接点Ｓ２，３２０と直列に接続した第三のリレーコイルＴ３，３３０が接続し、第三のリレーコイルＴ３，３３０は、送電側配線端子Ｗに接続している。第三のリレーコイルＴ３，３３０からは、メーク接点である接続スイッチ１１０又は１１０Ａを電磁力で駆動する。尚、第一のメーク接点Ｓ１，３１４と直列に送電側配線端子Ｗとの間に。第三のリレーコイルＴ３される第四のメーク接点Ｓ４，３４０が入っている。第四のメーク接点Ｓ４，３４０は入れずにつなぐか、短絡しても使用できる。その差を後述する。
先ず、送電側配線に送電がなされていて、配線間に電圧がある場合から説明する。
【００２０】
１）送電がある。手動スイッチＰＳ３１１を接続する。このときは、リセットスイッチＲＳ３１２は接続状態なので、第一のリレーコイルＴ１，３１３を電流が流れる。電磁力が発生して、第一のメーク接点Ｓ１，３１４と第二のメーク接点Ｓ２，３２０が接続され、第三のリレーコイルＴ３，３３０に電流が流れて、電磁力が発生し、接続スイッチ１１０又は１１０Ａと第四のメーク接点Ｓ４，３４０を接続する。第一のメーク接点Ｓ１，３１４と第四のメーク接点Ｓ４，３４０が直列になって、手動スイッチＰＳ３１１に並列に接続しているので、第一のリレーコイルＴ１，３１３に電流が流れ続け、手動スイッチＰＳ３１１が接続を外れても状態が保持される。この回路は自己保持回路になっている。リセットスイッチＲＳ３１２は、これを押すと回路が切れる状態になるため、第一のリレーコイルＴ１，３１３の電流は流れなくなる。電磁力が無くなって、第一のメーク接点Ｓ１，３１４と第二のメーク接点Ｓ２，３２０が接続を外れる。従って、第一のリレーコイルＴ１，３１３と第三のリレーコイルＴ３，３３０の電流は流れなくなり、接続スイッチ１１０又は１１０Ａと第四のメーク接点Ｓ４，３４０は遮断される。
【００２１】
２）リセットスイッチＲＳ３１２を押さない状態では、第一のリレーコイルＴ１，３１３と第三のリレーコイルＴ３，３３０の電流は流れ続け、接続スイッチ１１０又は１１０Ａと第四のメーク接点Ｓ４は接続状態である。このような状態で、送電側の送電が停止された場合を考える。
送電線Ｕ、Ｗ間の電圧が下がるため、第一のリレーコイルＴ１，３１３を流れる電流は下がり、或いは無くなって、電磁力も低下し、第二のメーク接点Ｓ２，３２０は非接続となり、第三のリレーコイルＴ３，３３０の電流もなくなって、接続スイッチ１１０又は１１０Ａと第四のメーク接点Ｓ４，３４０は非接続になる。従って、送電が停止すると、接続スイッチ１１０又は１１０Ａは、一旦遮断されることになる。勿論意図的にリセットスイッチＲＳ３１２を押しても同じである。
【００２２】
３）このような状態の後、再度、送電がなされた場合を考える。送電線Ｕ、Ｗ間の電圧が正常に上がる。手動スイッチＰＳ３１１は、非接続の状態である。一旦、第一のリレーコイルＴ１，３１３の電流が無くなって、第一のメーク接点Ｓ１，３１４が非接続になっているので、第一のリレーコイルＴ１，３１３を電流は流れることができない。従って、第二のメーク接点Ｓ２，３２０は非接状態を続け、第三のリレーコイルＴ３，３３０の電流は流れない状態を続ける。従って、接続スイッチ１１０又は１１０Ａと第四のメーク接点Ｓ４，３４０は非接続の状態を続ける。故に、送電側の電源が復帰しても負荷側に伝達されず、火災などの事故を起こすことはない。
【００２３】
４）電源を負荷側に伝達するには、手動スイッチＰＳ３１１を入れる。その前に、負荷側の不都合が無いことを確認する。装置の故障や短絡、漏電などの確認結果がよければ、手動スイッチＰＳ３１１を入れてよい。この動作は１）になる。尚、送電側の送電がなされない状態で手動スイッチＰＳ３１１を接続しても、第一のリレーコイルＴ１，３１３に電流が流れないので、結果として、接続スイッチ１１０又は１１０Ａは遮断したままである。
【００２４】
以上のように、送電側の電源が下がると、接続スイッチ１１０又は１１０Ａが遮断して、電源が復帰しても、接続スイッチ１１０又は１１０Ａが遮断状態を維持し、意図的に接続しない限り、負荷側に電源が伝達されない。そのため、電源復帰による事故が回避できる。
【００２５】
図５は、本発明の電力開閉装置の制御手段の他の一実施態様を示す図である。
直流リレーを使用した例である。
図４の交流リレーを利用した場合に比べて、整流回路等が必要な分、余計になる。
図５において、送電線Ｕ、Ｗ間の配線を整流器４１０で受けて、交流電圧を直流電圧に直す。コンデンサ４２０で平滑して直流電圧の安定化を図っている。二次電池４３０に蓄電しているが、必ずしも必要ではない。なぜなら、送電線Ｕ、Ｗ間に電圧があるときには、整流した直流電圧が得られ、停電により送電線Ｕ、Ｗ間に電圧が無くなったときには、コンデンサ４２０に蓄電している時間遅れを持って、接続駆動部３１０、第二のメーク接点Ｓ２，３２０、第三のリレーコイルＴ３，３３０、第四のメーク接点Ｓ４，３４０が動作する。これらは、図３で説明したことと全く同じであるので、動作説明は省略する。違いは、図４では、交流で動作するものだったが、図５では直流で動作する部品を使用する。
【００２６】
図６は、本発明の電力開閉装置の制御手段の他の一実施態様を示す図である。
図５と図６の違いは、第四のメーク接点Ｓ４，３４０が無いだけである。図４においても第四のメーク接点Ｓ４，３４０が無いものが可能である。図５では、自己保持回路の動作タイミングが第三のリレーコイルＴ３，３３０の動作タイミング、すなわち、接続スイッチ１１０又は１１０Ａの動作タイミングと同じになる点が違う。図６では、自己保持回路の動作タイミングが、接続スイッチ１１０又は１１０Ａの動作タイミングより早く起こる。
【００２７】
図７は、本発明の電力開閉装置の制御手段の他の一実施態様を示す図である。
送電線Ｕ、Ｗ、Ｖの配線の電圧を検出し、所望の値より電圧が低い場合は、第三のメーク接点Ｓ３，３５０を非接続にする電源電圧検出手段６００を備える。第三のメーク接点Ｓ３，３５０は、図のように、第二のメーク接点Ｓ２，３２０と第三のリレーコイルＴ３，３３０に直列に接続している。従って、送電線Ｕ、Ｗ、Ｖの配線の電圧が送電状態にあれば、第三のメーク接点Ｓ３，３５０を接続し、送電線Ｕ、Ｗ、Ｖの配線の電圧が停電状態にあれば、第三のメーク接点Ｓ３，３５０は非接続となる。
送電線Ｕ、Ｗ、Ｖの配線の電圧が送電状態において、手動スイッチＰＳ３１１を接続すると、第一のリレーコイルＴ１，３１３に電流が流れて、第一のメーク接点Ｓ１，３１４と第二のメーク接点Ｓ２，３２０が接続され、第三のメーク接点Ｓ３，３５０が接続状態にあるため、第三のリレーコイルＴ３，３３０に電流が流れ、接続スイッチ１１０又は１１０Ａが接続し、負荷側に電源が伝達する。同時に第四のメーク接点Ｓ４，３４０が接続し、自己保持状態となる。停電により、送電線Ｕ、Ｗ、Ｖの配線の電圧が低下すると、電源電圧検出手段６００で電圧の低下を検出して、第三のメーク接点Ｓ３，３５０を非接続とし、第三のリレーコイルＴ３，３３０に電流が流れなくなる。故に、接続スイッチ１１０又は１１０Ａが非接続となる。同時に、第四のメーク接点Ｓ４，３４０が非接続になり、自己保持回路が保持を解除する。従って、第一のリレーコイルＴ１，３１３の電流も流れなくなって、第一のメーク接点Ｓ１，３１４と第二のメーク接点Ｓ２，３２０が非接続が確定する。このような状態で、停電状態から送電状態に復帰しても、第三のメーク接点Ｓ３，３５０が接続状態になるだけで、第一のメーク接点Ｓ１，３１４，と第二のメーク接点Ｓ２，３２０が非接続なので、第三のリレーコイルＴ３，３３０に電流が流れずに、接続スイッチ１１０又は１１０Ａは遮断状態のままである。遮断状態を脱するには、意図的に手動スイッチＰＳ３１１を接続にする必要がある。
【００２８】
図８は、本発明の電力開閉装置の制御手段の他の一実施態様を示す図である。
図７との違いは、第四のメーク接点Ｓ４がない。送電線Ｕ、Ｗ、Ｖの配線の電圧が送電状態にある時は、図７と違いはない。停電により、送電線Ｕ、Ｗ、Ｖの配線の電圧が低下すると、電源電圧検出手段６００がそれを検出して、第三のメーク接点Ｓ３，３５０が非接続となり、第三のリレーコイルＴ３，３３０に電流が流れなくなる。その結果、接続スイッチ１１０又は１１０Ａが遮断となる。第四のメーク接点Ｓ４，３４０がないので、自己保持状態は続いている。そのため、送電線Ｕ、Ｗ、Ｖの配線の電圧が短時間に復活すると第三のメーク接点Ｓ３，３５０が再度接続になり、第三のリレーコイルＴ３，３３０に電流が流れて、接続スイッチ１１０又は１１０Ａが接続に戻る。このように、送電線Ｕ、Ｗ、Ｖの配線の電圧が変化する間、動作が不安定になる恐れがある。故に、電源電圧検出手段６００を用いた場合は、第四のメーク接点Ｓ４，３４０がある方が安定な動作が可能である。第四のメーク接点Ｓ４，３４０が無い場合は、送電線Ｕ、Ｗ、Ｖの配線が無くなって、二次電池４３０の蓄電電圧が低下すると、第一のリレーコイルＴ１，３１３の電流も流れなくなって、自己保持状態が解除される。従って、二次電池４３０、二次電池４３０が無い場合はコンデンサ４２０、の電荷が無くなった後は、自己保持状態が解除されているので、短時間以外は問題とはならない。例えば、停電の場合は、少なくとも時間的に秒単位以上の長い停電が普通なので、そのような短時間に事故に至る不都合があるとは考えられず、電源が復帰しても事故には至らない。従って、余り問題にはならない。
【００２９】
図９は、本発明の電力開閉装置の電源電圧検出駆動手段の一実施態様を示す図である。
送電線Ｕ、Ｗ、Ｖの配線の電圧を整流回路で整流して、所望の閾電圧と比較し、その結果でリレーコイルを駆動する。ここは、色々の回路が使用できる。
【産業上の利用可能性】
【００３０】
以上のように本発明による電力開閉装置は、一旦、送電電圧が下がると、電力開閉装置の接続スイッチを遮断して、送電が再開しても遮断状態が維持するので、送電再開による事故の防止が可能となり、産業上利用して極めて好都合である。
【符号の説明】
【００３１】
１１０、１１０Ａ、１１０Ｂ  接続スイッチ
１２０Ａ  制御手段
１２０Ｂ  回路電流・漏れ電流検出手段
１３０Ａ  送電側配線
１３０Ｂ  負荷側配線
１４０  スイッチ起動手段
１５０  電気機器機能本体
３１０  接続駆動部
３１１  手動スイッチＰＳ
３１２  リセットスイッチＲＳ
３１３  第一のリレーコイルＴ１
３１４  第一のメーク接点Ｓ１
３２０  第二のメーク接点Ｓ２
３３０  第三のリレーコイルＴ３
３４０  第四のメーク接点Ｓ４
３５０  第三のメーク接点Ｓ３
４１０  整流器
４２０  コンデンサ
４３０  二次電池
６００  電源電圧検出手段
【図１】
2017091935.tif 000003
【図２】
2017091935.tif 000004
【図３】
2017091935.tif 000005
【図４】
2017091935.tif 000006
【図５】
2017091935.tif 000007
【図６】
2017091935.tif 000008
【図７】
2017091935.tif 000009
【図８】
2017091935.tif 000010
【図９】
2017091935.tif 000011
【図１０】
2017091935.tif 000012